(57)【要約】【課題】浴室を最上階の離れに設けて非日常的な空間とでき、浴室に隣接した洗面室で脱衣された衣服を洗濯してから干すまでの動線の効率化を図ることができる住宅の提供。【解決手段】住宅の二階は、居室５と洗濯機が設けられる空間６とを有する第一最上階部２と、洗面室２５と浴室２６とを有する第二最上階部３と、第一最上階部２と第二最上階部３との間を行き来可能とする通路部４とを有している。第一最上階部２では、空間６が居室５と行き来可能に隣接して配置され、最も奥側の第二最上階部３では、浴室２５が洗面室２６と行き来可能に隣接して配置される。通路部４において居室５と洗面室２５との間を行き来可能とする部分を覆うようにして、天井部が設けられる。居室５、洗面室２５および通路部４のそれぞれの床面が面一とされていると共に、居室５、洗面室２５および天井部のそれぞれの天井面が面一とされている。【選択図】図１
2020094341.tif 000002
【特許請求の範囲】
【請求項１】
複数階建ての住宅であって、
前記住宅の最上階は、
居室と、前記居室と行き来可能に隣接して配置されて洗濯機が設けられる空間とを有する第一最上階部と、
洗面室と、前記洗面室と行き来可能に隣接して配置される浴室とを有し、前記住宅の奥行方向において最も奥側に前記第一最上階部と間隔をあけて配置される第二最上階部と、
前記第一最上階部と前記第二最上階部との間を行き来可能とする通路部とを有し、
前記通路部の内、前記居室と前記洗面室との間を行き来可能とする部分を覆う天井部が設けられ、
前記居室の床面、前記洗面室の床面および前記通路部の床面が面一とされていると共に、前記居室の天井面、前記洗面室の天井面および前記天井部の天井面が面一とされている
ことを特徴とする住宅。
【請求項２】
前記通路部の奥側の端部には、外部からの視線を遮蔽する遮蔽部が設けられている
ことを特徴とする請求項１に記載の住宅。
【請求項３】
前記住宅は、二階建てとされ、
車庫の上方に前記第二最上階部が設けられている
ことを特徴とする請求項１または請求項２に記載の住宅。
【発明の詳細な説明】
【技術分野】
【０００１】
本発明は、複数階建ての住宅に関するものであり、特に、最上階に設けられた二つの独立した空間を行き来する際に一旦屋外に出ることになる住宅に関するものである。
【背景技術】
【０００２】
本件出願人は、先に、下記特許文献１に開示された２階建て住宅を提案している。この２階建て住宅は、２階建て母屋と２階建て離れとからなり、２階建て母屋の２階層と２階建て離れの２階層との間にバルコニーが設けられている。従って、下記特許文献１に記載の２階建て住宅では、母屋の２階層と離れの２階層との間の往来は、バルコニーを介して短時間で行うことができる。
【先行技術文献】
【特許文献】
【０００３】
【特許文献１】特開平１０−１０２７９５号公報
【発明の概要】
【発明が解決しようとする課題】
【０００４】
しかしながら、単に母屋と離れとが設けられた住宅ではなく、浴室が非日常的な空間となるように、浴室が最上階の離れに設けられた住宅が望まれている。通常、浴室に隣接して洗面室が設けられ、その洗面室で脱衣が行われる。脱衣された衣服は、洗面室に設置された洗濯機で洗濯された後、バルコニーなどで屋外干しされる。
【０００５】
洗面室に洗濯機が設置されていると、せっかくの非日常的な雰囲気が台無しになってしまう。そこで、洗面室以外の場所に洗濯機を設置することが考えられるが、洗濯機の設置場所によっては、脱衣された衣服が洗濯機で洗濯された後にバルコニーで屋外干しされる際の動線が複雑かつ長くなり、日常生活に不便をきたすことになる。
【０００６】
本発明は、このような問題に鑑みてなされたものであり、その主たる目的は、浴室を最上階の離れに設けて非日常的な空間とできると共に、浴室に隣接した洗面室で脱衣された衣服を洗濯してから干すまでの動線の効率化を図ることができる住宅を提供することにある。
【課題を解決するための手段】
【０００７】
上記目的を達成するための本発明に係る住宅は、複数階建ての住宅であって、前記住宅の最上階は、居室と、前記居室と行き来可能に隣接して配置されて洗濯機が設けられる空間とを有する第一最上階部と、洗面室と、前記洗面室と行き来可能に隣接して配置される浴室とを有し、前記住宅の奥行方向において最も奥側に前記第一最上階部と間隔をあけて配置される第二最上階部と、前記第一最上階部と前記第二最上階部との間を行き来可能とする通路部とを有し、前記通路部の内、前記居室と前記洗面室との間を行き来可能とする部分を覆う天井部が設けられ、前記居室の床面、前記洗面室の床面および前記通路部の床面が面一とされていると共に、前記居室の天井面、前記洗面室の天井面および前記天井部の天井面が面一とされていることを特徴とする。
【０００８】
また、本発明に係る住宅は、前記通路部の奥側の端部には、外部からの視線を遮蔽する遮蔽部が設けられていることを特徴とする。
【０００９】
さらに、本発明に係る住宅は、前記住宅は、二階建てとされ、車庫の上方に前記第二最上階部が設けられていることを特徴とする。
【発明の効果】
【００１０】
本発明に係る住宅によれば、最上階において、洗濯機が設けられる空間が居室に隣接して配置される第一最上階部と、浴室が洗面室に隣接して配置される第二最上階部とが、間隔をあけて配置される。これにより、離れに浴室が設けられたようにすることができ、浴室を非日常的な空間とすることができる。しかも、第一最上階部と第二最上階部との間を行き来可能とする通路部の内、居室と洗面室との間を行き来可能とする部分を覆う天井部が設けられている。この際、居室の床面、洗面室の床面および通路部の床面が面一とされていると共に、居室の天井面、洗面室の天井面および天井部の天井面が面一とされている。従って、第二最上階部の浴室と第一最上階部の洗濯機が設けられる空間との間の動線を短くすることができ、屋根部に対応する部分の通路部が物干しとされることで、洗濯した衣服を物干しへ運ぶ際の動線を短くすることができる。ここで、第二最上階部が住宅の最も奥側に配置されるので、屋根部に対応する部分の通路部が住宅の手前側の道路から見え難くすることができる。従って、風呂上がりの状態で通路部を通過する様子や、干された洗濯物を通行人から見え難くすることができる。
【００１１】
また、本発明に係る住宅によれば、通路部の奥側に外部からの視線を遮蔽する遮蔽部が設けられているので、屋根部に対応する部分の通路部が住宅の奥側の外部からも見え難くすることができる。
【００１２】
さらに、本発明に係る住宅によれば、二階建ての住宅の車庫の上方に第二最上階部が設けられている。従って、第二最上階部は、第一最上階部とは独立した状態とされると共に、第一最上階部の下方に配置される一階部分とは完全に独立した状態とされ、離れであることをより強調することができる。
【図面の簡単な説明】
【００１３】
【図１】本発明の住宅の二階の構成を示す間取り図である。
【図２】図１の住宅の二階の主要部を示す概略斜視図であり、住宅の奥行方向手前側から見た状態を示している。
【図３】図１の住宅の一階の構成を示す間取り図である。
【発明を実施するための形態】
【００１４】
以下、本発明の住宅の具体的実施例を図面に基づいて詳細に説明する。
【００１５】
図１から図３は、本発明の住宅の一実施例を示す概略図であり、図１は二階の間取り図、図２は二階の主要部を住宅の奥行方向手前側から見た概略斜視図、図３は一階の間取り図である。本実施例の住宅１は、二階建てとされるが、これに限定されるものではなく、複数階建てであればよい。図１に示されるように、住宅１の最上階である二階は、周囲を囲む壁体を有する第一最上階部２と、周囲を囲む壁体を有して第一最上階部２と住宅１の間口方向において間隔をあけて配置される第二最上階部３と、第一最上階部２と第二最上階部３との間を行き来可能とする通路部４とを有している。
【００１６】
第一最上階部２は、住宅１の奥行方向を長手方向とする上面視略長方形状に形成されており、居室５と洗濯機が設けられる空間６とを有している。居室５は、住宅１の間口方向を長手方向とする上面視略長方形状に形成されており、住宅１の奥行方向において最も奥側に第一最上階部２内に配置される。居室５には、住宅１の奥行方向手前側に、居室５内へ開口する収納部７が設けられる。洗濯機が設けられる空間６は、上面視略矩形状に形成されており、居室５と行き来可能に隣接して配置される。本実施例では、空間６は、住宅１の奥行方向において居室５の手前側であって、住宅１の間口方向において居室５の一方側に寄せて配置される。空間６と居室５との間の壁部には、空間６と居室５とを互いに行き来可能とする出入口８が設けられ、この出入口８には開閉可能な扉９が設けられる。空間６には、住宅１の間口方向他方側に、空間６内へ開口する凹部１０が形成されており、この凹部１０内に洗濯機が収納される。
【００１７】
洗濯機が設けられる空間６に隣接して、居間１１、食堂１２および台所１３を備えるＬＤＫ１４が配置される。ＬＤＫ１４は、住宅１の奥行方向を長手方向とする上面視略長方形状に形成されており、住宅１の奥行方向において空間６の手前側に配置される。ＬＤＫ１４と空間６との間の壁部には、ＬＤＫ１４と空間６とを互いに行き来可能とする出入口１５が設けられ、この出入口１５には開閉可能な扉１６が設けられる。ＬＤＫ１４には、住宅１の奥行方向奥側に、ＬＤＫ１４内へ開口する収納部１７が設けられており、この収納部１７の開口部に開閉可能に扉１８が設けられる。また、ＬＤＫ１４には、住宅１の間口方向一方側に一階と二階とを接続する階段１９が設けられる。なお、本実施例のＬＤＫ１４では、住宅１の奥行方向手前側から順に、居間１１、食堂１２および台所１３が配置され、それらが連続して配置されて一部屋に構成されている。
【００１８】
ＬＤＫ１４と居室５とは、住宅１の間口方向において第一最上階部２の他方側に配置される廊下２０を介して互いに行き来可能とされる。ＬＤＫ１４と廊下２０との間、および居室５と廊下２０との間には、開閉可能な扉２１，２２がそれぞれ設けられる。この廊下２０へ開口して、トイレ２３が配置される。すなわち、トイレ２３は、居室５、空間６およびＬＤＫ１４で囲まれた箇所に配置される。トイレ２３と廊下２０との間には、廊下２０から入室できるように、開閉可能な扉２４が設けられる。
【００１９】
第二最上階部３は、住宅１の奥行方向を長手方向とする上面視略長方形状とされ、住宅１の奥行方向における長さおよび住宅１の間口方向における長さが第一最上階部２よりも小さく形成されている。第二最上階部３は、住宅１の二階に、住宅１の奥行方向において最も奥側に配置される。第二最上階部３は、洗面室２５と浴室２６とを有している。洗面室２５は、上面視略四角形状に形成されており、住宅１の奥行方向において最も奥側に第二最上階部３内に配置される。前述したように空間６に洗濯機が設けられるので、洗面室２５には、洗濯機を設置するための箇所が設けられていない。浴室２６は、上面視略四角形状に形成されており、洗面室２５と行き来可能に隣接して配置される。本実施例では、浴室２６は、住宅１の奥行方向において洗面室２５の手前側に配置される。浴室２６と洗面室２５との間の壁部には、浴室２６と洗面室２５とを互いに行き来可能とする出入口２７が設けられ、この出入口２７には開閉可能な扉２８が設けられる。なお、図示例では、浴室２６に隣接して、バルコニー２９が設けられる。バルコニー２９は、上面視略四角形状に形成されており、住宅１の奥行方向において浴室２６の手前側に配置される。バルコニー２９と浴室２６との間の壁部には、窓３０が設けられる。バルコニー２９の手前側の端部には、手摺３１が設けられる。
【００２０】
前述したように、第二最上階部３は、住宅１の二階の最も奥側に配置される。また、第二最上階部３は、奥行方向の長さが第一最上階部２よりも小さく形成されている。従って、住宅１の二階には、第一最上階部２が第二最上階部３よりも住宅１の奥行方向において手前側へ延出して、第一最上階部２と第二最上階部３とが配置される。この際、第一最上階部２の居室５と第二最上階部３の洗面室２５とが、住宅１の間口方向において互いに対応して配置される。
【００２１】
通路部４は、住宅１の奥行方向を長手方向とする上面視略長方形状に形成されており、第一最上階部２と第二最上階部３との間の間隔に設けられる。通路部４の奥行方向手前側端部は、住宅１の奥行方向において第二最上階部３よりも手前側に配置されると共に、住宅１の奥行方向において第一最上階部２よりも奥側に配置される。通路部４と第一最上階部２の居室５との間の壁体には、互いに行き来可能とする出入口３２が設けられ、この出入口３２には開閉可能な扉３３が設けられる。通路部４と第二最上階部３の洗面室２５との間の壁体には、互いに行き来可能とする出入口３４が設けられ、この出入口３４には開閉可能な扉３５が設けられる。
【００２２】
従って、第一最上階部２の居室５と第二最上階部３の洗面室２５とは、通路部４を介して互いに行き来可能とされる。この部分には、通路部４の上方に天井部３６が配置される。すなわち、第一最上階部２と第二最上階部３との間に配置される通路部４の内、居室５と洗面室２５との間を行き来可能とする部分を覆うようにして、天井部３６が設けられる。天井部３６は、居室５および洗面室２５に面する部分の通路の上方を覆うようにして配置される。この際、居室５の床面、洗面室２５の床面、および通路部４の床面が面一とされていると共に、居室５の天井面、洗面室２５の天井面および天井部３６の天井面が面一とされている。
【００２３】
本実施例では、居室５と洗面室２５とが行き来可能とされるだけでなく、第一最上階部２の廊下２０と洗面室２５とが通路部４を介して行き来可能とされると共に、第一最上階部２のＬＤＫ１４と洗面室２５とが通路部４を介して行き来可能とされる。具体的には、廊下２０と通路部４との間の壁体には、互いに行き来可能とする出入口３７が設けられ、この出入口３７には開閉可能な扉３８が設けられる。また、ＬＤＫ１４と通路部４との間の壁体には、互いに行き来可能とする出入口３９が設けられ、この出入口３９には開閉可能な扉４０が設けられる。なお、居室５と通路部４との間、洗面室２５と通路部４との間、廊下２０と通路部４との間、およびＬＤＫ１４と通路部４との間のそれぞれの壁体および扉３３，３５，３８，４０は、透明板から形成されている。
【００２４】
通路部４の奥側の端部には、外部からの視線を遮蔽する遮蔽部４１が設けられる。本実施例では、通路部４には、住宅１の奥行方向奥側の端部に壁体が設けられており、この壁体が遮蔽部４１とされる。遮蔽部４１である壁体は、第一最上階部２の奥側の壁体、および第二最上階部３の奥側の壁体と連続して略面一に形成される。通路部４の手前側の端部、および通路部４の第二最上階部３よりも延出した部分の間口方向他方側には、上面視略Ｌ字形状の手摺４２が連続して設けられる。
【００２５】
その他、住宅１の二階には、居室５の奥行方向奥側の壁体、洗面室２５の奥行方向奥側の壁体、ＬＤＫ１４の間口方向一方側の壁体にそれぞれ、窓４３，４４，４５が設けられる。また、第一最上階部２の通路部４よりも手前側へ延出した部分には、ＬＤＫ１４の間口方向他方側の壁体に、窓４６が設けられる。さらに、第二最上階部３の間口方向他方側の壁体は、第二最上階部３よりも手前側へ延出して形成されており、この延出部の手前側の端部と通路部４の手前側の端部とを架け渡すように横壁体４７が設けられる。横壁体４７には、通路部４の手前側の端部に設けられる手摺４２と連続して、手摺４８が設けられる。
【００２６】
次に、本実施例の住宅１の一階について説明する。図３に示されるように、住宅１の一階は、周囲を囲む壁体を有し、車が駐車される車庫４９が内部に設けられる。車庫４９は、住宅１の奥行方向を長手方向とする上面視略長方形状に形成されており、住宅１の奥行方向において最も奥側に配置される。車庫４９の手前側には、車の出入口５０が開口しており、この出入口５０に開閉可能な扉５１が設けられる。車庫４９の奥側の壁体には、車庫４９の内外を行き来可能とする出入口５２が設けられ、この出入口５２には開閉可能な扉５３が設けられる。なお、車庫４９の奥側の壁体の一部および扉５３は、透明板により形成される。
【００２７】
この車庫４９の上方には、前述した第二最上階部３が設けられている。この際、第二最上階部３、通路部４、横壁体４７および第二最上階部３の手前側へ延出した壁体部分により囲まれて形成される貫通穴５４は、車庫４９の手前側の敷地に対応される。図３に示されるように、車庫４９の間口方向他方側の壁体は、車庫４９よりも手前側へ延出しており、前述した第二最上階部３の手前側へ延出した壁体部分と連続して形成される。従って、住宅１の二階の貫通穴５４は、車庫４９の間口方向他方側の壁体の手前側へ延出した部分の内側において敷地に対応される。
【００２８】
車庫４９に隣接して、上面視略矩形状の居室５５が配置される。居室５５は、住宅１の間口方向において車庫４９の一方側に隣接して配置される。居室５５は、車庫４９と隣接する間口方向他方側部分が土間部５６に形成され、それ以外の部分が床板部５７から形成される。居室５５と車庫４９との間の壁部には、互いに行き来可能とする出入口５８が設けられ、この出入口５８には開閉可能な扉５９が設けられる。本実施例の扉５９は、透明板により形成される。居室５５の奥側の壁体、および居室５５の間口方向一方側の壁体には、窓６０，６１が設けられる。この居室５５に隣接して、収納部６２が配置される。収納部６２は、上面視略四角形状に形成されており、住宅１の奥行方向において居室５５の手前側に配置される。収納部６２は、居室５５の土間部５６へ開口して配置され、その開口部に開閉可能に扉６３が設けられる。
【００２９】
収納部６２に隣接して、廊下６４が配置される。廊下６４は、住宅１の間口方向を長手方向とする上面視略長方形状に形成されており、住宅１の奥行方向において収納部６２の手前側に配置される。この廊下６４に開口して、トイレ６５が設けられる。トイレ６５は、住宅１の奥行方向において居室５５の手前側であって、住宅１の間口方向において収納部６２の一方側に配置される。トイレ６５と廊下６４との間には、廊下６４から入室できるように、開閉可能な扉６６が設けられる。また、廊下６４には、住宅１の一階と二階とを接続する前述した階段１９が接続される。なお、トイレ６５の間口方向一方側の壁体、および廊下６４の間口方向一方側の壁体にはそれぞれ、窓６７，６８が設けられる。
【００３０】
廊下６４に隣接して、上面視略四角形状の収納部６９が配置される。収納部６９は、住宅１の奥行方向において廊下６４の手前側に、廊下６４へ開口して配置され、その開口部に開閉可能に扉７０が設けられる。この収納部６９に隣接して、上面視略四角形状の居室７１が配置される。居室７１は、住宅１の奥行方向において収納部６９の手前側に配置される。居室７１は、間口方向側の端部が土間部７２に形成され、それ以外の部分が床板部７３から形成される。居室７１の間口方向一方側の壁体には、窓７４が設けられる。居室７１の間口方向他方側の壁体には、掃き出し窓７５が設けられる。なお、居室７１の間口方向他方側の壁体の一部および掃き出し窓７５は、透明板により形成される。
【００３１】
手前側の居室７１と奥側の居室５５とは、住宅１の奥行方向を長手方向とする上面視略長方形状の玄関土間部７６を介して互いに行き来可能とされる。手前側の居室７１の土間部７２と玄関土間部７６との間、および奥側の居室５５の土間部５６と玄関土間部７６との間にはそれぞれ、開閉可能な扉７７，７８が設けられる。また、玄関土間部７６と廊下６４とは、玄関土間部７６の奥行方向中途部に廊下６４の端部が接続されて、互いに行き来可能とされる。玄関土間部７６と対応するようにして、住宅１の一階の壁体には、住宅１内外を行き来可能とする玄関扉７９が開閉可能に設けられる。玄関扉７９は、住宅１の間口方向において、前述した車庫４９の手前側へ延出した壁体部分と対応して配置される。なお、本実施例の玄関扉７９は、透明板から形成されている。
【００３２】
本実施例の住宅１の場合、浴室２６を有する第二最上階部３は、居室５およびＬＤＫ１４などを有する第一最上階部２と間隔をあけて配置される。従って、温泉旅館のように一旦屋外へ出てから浴室２６へ行く構成とすることができ、浴室２６を非日常的な空間とすることができる。しかも、本実施例では、浴室２６に隣接する洗面室２５に洗濯機が設けられないので、浴室２６から洗濯機が見えることがなく、浴室２６をより一層非日常的な空間とすることができる。
【００３３】
また、本実施例の住宅１の場合、間口方向において互いに対応して配置される居室５と洗面室２５とが通路部４を介して行き来可能とされ、居室５に隣接して空間６が配置される。この際、居室５の床面、洗面室２５の床面および通路部４の床面が面一とされると共に、居室５の天井面、洗面室２５の天井面および天井部３６の天井面が面一とされる。従って、洗面室２５で脱衣された衣服類を洗濯機へ運ぶ際の動線を短くすることができる。また、本実施例の住宅１の場合、通路部４の上方に天井部３６が設けられるので、そこで洗濯物を干すことができる。従って、洗面室２５で脱衣された衣服類を洗濯してから干すまでの動線を短くすることができる。また、本実施例の住宅１の場合、通路部４に隣接して居室５が配置されるので、居室５で衣類を畳むことができる。
【００３４】
また、本実施例の住宅１の場合、住宅１の奥側において居室５と洗面室２５とが通路部４を介して行き来可能とされる。従って、居室５と洗面室２５との間で干された洗濯物は、住宅１の手前側の道路から見え難くすることができる。しかも、本実施例では、通路部４の奥側に遮蔽部４１が設けられるので、干された洗濯物が住宅１の奥側の外部から見えなくすることができる。また、本実施例の住宅１の場合、図１および図２に示されるように、居室５と洗面室２５との間の通路部４に椅子８０を設け、風呂上がりにその椅子８０に座って休憩したとしても、その休憩している姿を外部から見え難くすることができる。また、本実施例の住宅１の場合、車庫４９の上方に浴室２６を有する第二最上階部３が配置されるので、住宅１の母屋部分から第二最上階部３が完全に離れた状態とすることができ、第二最上階部３が離れであることをより感じさせることができる。
【００３５】
また、本実施例の住宅１の場合、居室５と通路部４との間の壁体および扉３３、洗面室２５と通路部４との間の壁体および扉３５が透明とされるので、居室５内および洗面室２５内へ十分に光を取り入れることができる。この際、居室５と洗面室２５とが向かい合った状態で配置されるので、前述したように透明であっても、住宅１の外部から居室５内および洗面室２５内を見えなくすることができる。また、本実施例の住宅１の場合、前述したように洗面室２５に光を取り入れることで、浴室２６内にも光を取り入れることができる。さらに、本実施例の住宅１の場合、住宅１の二階の貫通穴５４が車庫４９の手前側へ延出した壁体部分の内側に対応して配置される。従って、車庫４９の手前側の敷地に貫通穴５４を介して二階まで達する樹木を植えた場合、その樹木を浴室２６から眺めることができる。
【００３６】
なお、本発明の住宅は、前記実施例の構成に限らず、本発明の思想の範囲を逸脱しない範囲で適宜変更することができる。
【産業上の利用可能性】
【００３７】
本発明の住宅は、最上階に離れのような空間を有する複数階建ての住宅に好適に適用される。
【符号の説明】
【００３８】
１  住宅
２  第一最上階部
３  第二最上階部
４  通路部
５  居室
６  空間
２５  洗面室
２６  浴室
３６  天井部
４１  遮蔽部
４９  車庫
【図１】
2020094341.tif 000003
【図２】
2020094341.tif 000004
【図３】
2020094341.tif 000005